(57)【要約】【課題】  ハウジングを３個モジュール寸法とすることが容易なコンセントを提供する。【解決手段】  単相３線の一方の電圧側の電線が接続される端子部と中性側の電線が接続される端子部とで解除釦１３を共用とした。単相３線の一方の電圧側の電線が接続される端子部と中性側の電線が接続される端子部とに対して各別に解除釦１３を設ける場合に比べ、ハウジング内で解除釦１１〜１３が占めるスペースが縮小されているから、ハウジングを３個モジュール寸法とする設計が容易となっている。また、第２の電圧側電線挿入口に臨む端子部と中性線挿入口に臨む端子単相３線の一方の電圧側の電線が接続される端子部と中性側の電線が接続される端子部との各鎖錠ばね１０の鎖錠を、１個の解除釦１３によって同時に解除することができるから、解除作業が容易となっている。【選択図】図１
2005339979.tif 000002
【特許請求の範囲】
【請求項１】
既成の取付枠に３個まで取付可能な配線器具の３個分の寸法に形成されたハウジングを備え、
ハウジングの前面には、低電圧用プラグの電圧側極，中性極，接地極の各栓刃がそれぞれ挿入される電圧側栓刃挿入口，中性栓刃挿入口，接地栓刃挿入口の３個１組の低電圧用栓刃挿入口と、高電圧用プラグの電圧側極の各栓刃がそれぞれ挿入される第１及び第２の電圧側栓刃挿入口及び接地極の栓刃が挿入される接地栓刃挿入口の３個１組の高電圧用栓刃挿入口とが長手方向に並べて設けられ、
ハウジングの後面には、単相３線の電圧側の電線がそれぞれ挿入される第１及び第２の電圧側電線挿入口と、単相３線の中性側の電線が挿入される中性線挿入口と、接地される電線が挿入される接地線挿入口とがそれぞれ設けられ、
ハウジング内において第１の電圧側電線挿入口に臨む位置と、第２の電圧側電線挿入口に臨む位置と、中性線挿入口に臨む位置と、接地線挿入口に臨む位置とには、それぞれ、導電材料からなりハウジング内に挿入された電線に接触導通する端子板と、前記電線を端子板との間に鎖錠する鎖錠ばねと、鎖錠ばねの鎖錠を解除する解除釦とからなる端子部が設けられ、
導電材料からなり低電圧用栓刃挿入口の電圧側栓刃挿入口から挿入された栓刃に接触導通する第１の刃受部と高電圧用栓刃挿入口の一方の電圧側栓刃挿入口から挿入された栓刃に接触導通する第２の刃受部とを有し第１の電圧側電線挿入口に臨む端子部の端子板に連結された第１の電圧側導電ブロックと、
導電材料からなり高電圧用栓刃挿入口の他方の電圧側栓刃挿入口から挿入された栓刃に接触導通する刃受部を有し第２の電圧側電線挿入口に臨む端子部の端子板に連結された第２の電圧側導電ブロックと、
導電材料からなり低電圧用栓刃挿入口の中性栓刃挿入口から挿入された栓刃に接触導通する刃受部を有し中性線挿入口に臨む端子部の端子板に連結された中性導電ブロックと、
導電材料からなり低電圧用栓刃挿入口の接地栓刃挿入口から挿入された栓刃に接触導通する第１の刃受部と高電圧用栓刃挿入口の接地栓刃挿入口から挿入された栓刃に接触導通する第２の刃受部とを有し接地線挿入口に臨む端子部の端子板に連結された接地導電ブロックとをそれぞれハウジング内に備え、
第２の電圧側電線挿入口に臨む端子部と中性線挿入口に臨む端子部とが、各鎖錠ばねの向きを揃えて互いに近接して配置されるとともに、第２の電圧側電線挿入口に臨む端子部の解除釦には中性線挿入口に臨む端子部の鎖錠ばねの鎖錠を解除する部位が設けられることにより、第２の電圧側電線挿入口に臨む端子部と中性線挿入口に臨む端子部とで解除釦が共用とされていることを特徴とするコンセント。
【請求項２】
ハウジングは長手方向を上下方向へ向けて配設されるものであって、第１の電圧側電線挿入口をハウジングの短手方向の一端付近に設け、第２の電圧側電線挿入口と中性線挿入口とをそれぞれハウジングの短手方向の他端付近に設け、第２の電圧側電線挿入口と中性線挿入口とを、ハウジングの長手方向において互いにずれた位置に設けるとともに、第２の電圧側電線挿入口と中性線挿入口とのうち下側に位置する一方の位置を、他方の位置よりもハウジングの短手方向の中央寄りとしたことを特徴とする請求項１記載のコンセント。
【請求項３】
第１の電圧側導電ブロックをハウジングの短手方向の一端部に配置し、第２の電圧側導電ブロックと中性導電ブロックとをハウジングの短手方向の他端部に配置するとともに、接地導電ブロックをハウジングの短手方向の中央部に配置したことを特徴とする請求項１記載のコンセント。
【請求項４】
接地線挿入口をハウジングの長手方向の一端部に設けるとともに、第１及び第２の電圧側電線挿入口及び中性線挿入口をハウジングの長手方向の中央部に設けたことを特徴とする請求項３記載のコンセント。
【請求項５】
ハウジングは長手方向を上下方向へ向けて配設されるものであって、高電圧用栓刃挿入口を低電圧用栓刃挿入口よりも下側に設けたことを特徴とする請求項１記載のコンセント。
【発明の詳細な説明】
【技術分野】
【０００１】
本発明は、電源電圧が互いに異なる２組の栓刃挿入口を備えたコンセントに関するものである。
【背景技術】
【０００２】
従来から、図８（ａ）に示すように高電圧（例えば２００Ｖ）用の栓刃挿入口Ｈ１ａをハウジングＨ１の前面に有する高電圧用コンセントや図８（ｂ）に示すように低電圧（例えば１００Ｖ）用の栓刃挿入口Ｈ２ａをハウジングＨ２の前面に有する低電圧用コンセントが提供されている。図８（ａ）（ｂ）に示したコンセントのハウジングＨ１，Ｈ２は、ＪＩＳ  Ｃ  ８３７５に規定された大角形連用配線器具用の既成の取付枠Ｆを用いて施工面に取り付けることができるように、前記取付枠Ｆに３個まで取付可能な単位寸法の配線器具の２個分又は３個分の寸法に形成されている。
【０００３】
近年、一般家庭においても、従来の１００Ｖ用機器に加え、電気温水器や電磁調理器など２００Ｖ用機器の利用が普及してきている。しかし、図８（ａ）に示した２００Ｖ用のコンセントと図８（ｂ）に示した１００Ｖ用のコンセントとをともに設けると、コンセント２個分の広い施工面が必要となってしまう。
【０００４】
そこで、コンセント１個分の面積で１００Ｖ用機器と２００Ｖ用機器とを同時に使用可能とするために、１００Ｖ用の栓刃挿入口と２００Ｖ用の栓刃挿入口とを備えたコンセントが提案されている（例えば、特許文献１参照）。この種のコンセントは、単相３線を利用し、電圧側の２本の電線の電位差によって２００Ｖの電圧を得る一方で、電圧側の一方の電線と中性側の電線との間の電位差によって１００Ｖの電圧を得る。
【０００５】
従来は、電気事業法に基く通商産業省令である「電気設備の技術基準の解釈」（以下、「技術基準」と呼ぶ。）により、単相３線の屋内配線が禁止されていたため、上記従来例においても１００Ｖ，２００Ｖそれぞれについて単相２線の専用回線を設けており、配線が複雑になっている。しかし、近年、技術基準が改正されたことにより、１００Ｖ／２００Ｖ併用の単相３線の屋内配線が可能となった。
【特許文献１】特開２００１−３１９７４４号公報
【発明の開示】
【発明が解決しようとする課題】
【０００６】
ここで、ハウジング内において単相３線の各電線がそれぞれ電気的かつ機械的に接続される端子部として、刃受けに電気的に接続された端子板と、端子板との間に電線を鎖錠する鎖錠ばねと、鎖錠ばねの鎖錠を解除する解除釦とを有するいわゆる速結端子を用いる場合、端子部毎にある程度の収納スペースが必要となる。
【０００７】
図８（ａ）（ｂ）のコンセントのように低電圧用プラグ又は高電圧用プラグの一方に対応した栓刃挿入口のみを備える場合、接地極を有するプラグを接続可能とする場合であっても、端子部は対応するプラグ１個当たりの栓刃の数すなわち３個あればよかった。しかし、上記のように単相３線を利用して低電圧用プラグと高電圧用プラグとをともに接続可能とし、かつ接地極を有するプラグを接続可能とする場合には、単相３線の各電線用と接地線用との合計４個の端子部が必要となり、必要な端子部の数が増加している。このため、上述した既成の取付枠Ｆに３個まで取付可能な配線器具の３個分の寸法（以下、「３個モジュール寸法」と呼ぶ。）に形成したハウジングに全ての端子部が収納されるように端子部の部品の形状や端子部の配置を設計することが難しかった。
【０００８】
本発明は上記事由に鑑みて為されたものであり、その目的は、ハウジングを３個モジュール寸法とすることが容易なコンセントを提供することにある。
【課題を解決するための手段】
【０００９】
請求項１の発明は、既成の取付枠に３個まで取付可能な配線器具の３個分の寸法に形成されたハウジングを備え、ハウジングの前面には、低電圧用プラグの電圧側極，中性極，接地極の各栓刃がそれぞれ挿入される電圧側栓刃挿入口，中性栓刃挿入口，接地栓刃挿入口の３個１組の低電圧用栓刃挿入口と、高電圧用プラグの電圧側極の各栓刃がそれぞれ挿入される第１及び第２の電圧側栓刃挿入口及び接地極の栓刃が挿入される接地栓刃挿入口の３個１組の高電圧用栓刃挿入口とが長手方向に並べて設けられ、ハウジングの後面には、単相３線の電圧側の電線がそれぞれ挿入される第１及び第２の電圧側電線挿入口と、単相３線の中性側の電線が挿入される中性線挿入口と、接地される電線が挿入される接地線挿入口とがそれぞれ設けられ、ハウジング内において第１の電圧側電線挿入口に臨む位置と、第２の電圧側電線挿入口に臨む位置と、中性線挿入口に臨む位置と、接地線挿入口に臨む位置とには、それぞれ、導電材料からなりハウジング内に挿入された電線に接触導通する端子板と、前記電線を端子板との間に鎖錠する鎖錠ばねと、鎖錠ばねの鎖錠を解除する解除釦とからなる端子部が設けられ、導電材料からなり低電圧用栓刃挿入口の電圧側栓刃挿入口から挿入された栓刃に接触導通する第１の刃受部と高電圧用栓刃挿入口の一方の電圧側栓刃挿入口から挿入された栓刃に接触導通する第２の刃受部とを有し第１の電圧側電線挿入口に臨む端子部の端子板に連結された第１の電圧側導電ブロックと、導電材料からなり高電圧用栓刃挿入口の他方の電圧側栓刃挿入口から挿入された栓刃に接触導通する刃受部を有し第２の電圧側電線挿入口に臨む端子部の端子板に連結された第２の電圧側導電ブロックと、導電材料からなり低電圧用栓刃挿入口の中性栓刃挿入口から挿入された栓刃に接触導通する刃受部を有し中性線挿入口に臨む端子部の端子板に連結された中性導電ブロックと、導電材料からなり低電圧用栓刃挿入口の接地栓刃挿入口から挿入された栓刃に接触導通する第１の刃受部と高電圧用栓刃挿入口の接地栓刃挿入口から挿入された栓刃に接触導通する第２の刃受部とを有し接地線挿入口に臨む端子部の端子板に連結された接地導電ブロックとをそれぞれハウジング内に備え、第２の電圧側電線挿入口に臨む端子部と中性線挿入口に臨む端子部とが、各鎖錠ばねの向きを揃えて互いに近接して配置されるとともに、第２の電圧側電線挿入口に臨む端子部の解除釦には中性線挿入口に臨む端子部の鎖錠ばねの鎖錠を解除する部位が設けられることにより、第２の電圧側電線挿入口に臨む端子部と中性線挿入口に臨む端子部とで解除釦が共用とされていることを特徴とする。
【００１０】
この発明によれば、第２の電圧側電線挿入口に臨む端子部と中性線挿入口に臨む端子部とで解除釦を共用としたことにより、第２の電圧側電線挿入口に臨む端子部と中性線挿入口に臨む端子部とに対して各別に解除釦を設ける場合に比べ、ハウジング内で解除釦が占めるスペースが縮小されているから、ハウジングを３個モジュール寸法とする設計が容易となっている。また、第２の電圧側電線挿入口に臨む端子部と中性線挿入口に臨む端子部との各鎖錠ばねの鎖錠を、１個の解除釦によって同時に解除することができるから、解除作業が容易となっている。
【００１１】
請求項２の発明は、請求項１の発明において、ハウジングは長手方向を上下方向へ向けて配設されるものであって、第１の電圧側電線挿入口をハウジングの短手方向の一端付近に設け、第２の電圧側電線挿入口と中性線挿入口とをそれぞれハウジングの短手方向の他端付近に設け、第２の電圧側電線挿入口と中性線挿入口とを、ハウジングの長手方向において互いにずれた位置に設けるとともに、第２の電圧側電線挿入口と中性線挿入口とのうち下側に位置する一方の位置を、他方の位置よりもハウジングの短手方向の中央寄りとしたことを特徴とする。
【００１２】
この発明によれば、第２の電圧側電線挿入口の位置と中性線挿入口の位置とをハウジングの短手方向において互いにずらさない場合に比べ、それぞれ第１及び第２の電圧側電線挿入口と中性電線挿入口とに挿入された各電線が結束されたケーブルをハウジングの上側に引き出すときに電線にかかる機械的負荷が軽減される。
【００１３】
請求項３の発明は、請求項１の発明において、第１の電圧側導電ブロックをハウジングの短手方向の一端部に配置し、第２の電圧側導電ブロックと中性導電ブロックとをハウジングの短手方向の他端部に配置するとともに、接地導電ブロックをハウジングの短手方向の中央部に配置したことを特徴とする。
【００１４】
請求項４の発明は、請求項３の発明において、接地線挿入口をハウジングの長手方向の一端部に設けるとともに、第１及び第２の電圧側電線挿入口及び中性線挿入口をハウジングの長手方向の中央部に設けたことを特徴とする。
【００１５】
この発明によれば、第１及び第２の電圧側電線挿入口と中性線挿入口と接地線挿入口とをハウジングの長手方向の一端部に集中させる場合に比べ、接地線挿入口に電線を挿入しやすくなる。
【００１６】
請求項５の発明は、請求項１の発明において、ハウジングは長手方向を上下方向へ向けて配設されるものであって、高電圧用栓刃挿入口を低電圧用栓刃挿入口よりも下側に設けたことを特徴とする。
【００１７】
この発明によれば、コードが引き出される方向が栓刃の突出方向に対して直交する方向とされているような高電圧用のプラグを、コードが下方に引き出される向きで高電圧用栓刃挿入口に接続しても、低電圧用栓刃挿入口にプラグを接続する際に前記コードが邪魔にならない。
【発明の効果】
【００１８】
本発明は、第２の電圧側電線挿入口に臨む端子部と中性線挿入口に臨む端子部とで解除釦を共用としたことにより、第２の電圧側電線挿入口に臨む端子部と中性線挿入口に臨む端子部とに対して各別に解除釦を設ける場合に比べ、ハウジング内で解除釦が占めるスペースが縮小されているから、ハウジングを３個モジュール寸法とする設計が容易となっている。また、第２の電圧側電線挿入口に臨む端子部と中性線挿入口に臨む端子部との各鎖錠ばねの鎖錠を、１個の解除釦によって同時に解除することができるから、解除作業が容易となっている。
【発明を実施するための最良の形態】
【００１９】
以下、本発明を実施するための最良の形態について、図面を参照しながら説明する。
【００２０】
（実施形態１）
本実施形態は、図２及び図３に示すように、３個モジュール寸法に形成され、１００Ｖ用の低電圧用栓刃挿入口３１と２００Ｖ用の高電圧用栓刃挿入口３２とが低電圧用栓刃挿入口３１を長手方向に並べて前面に設けられたハウジング１を備える。ハウジング１は、図２（ａ）に示すように長手方向を上下に向け低電圧用栓刃挿入口３１を上側として配設される。以下、上下左右は図２（ａ）を基準として説明する。
【００２１】
ハウジング１は、図１に示すように、後述する第１の電圧側導電ブロック６等の導電部が収納される収納凹部２１が前面に設けられたボディ２と、低電圧用栓刃挿入口３１と高電圧用栓刃挿入口３２とが設けられ収納凹部２１を閉塞するカバー３とからなる。ボディ２とカバー３とはそれぞれ例えば合成樹脂成形品からなり、施工面（図示せず）への取り付けのための取付枠を兼ねた組立枠４によって結合されている。
【００２２】
組立枠４は、ＪＩＳ  Ｃ  ８３７５に規定された取付枠に準じた寸法及び形状に形成され、３個モジュール寸法に形成された露出穴４１を有する。露出穴４１の左右には、それぞれ係合穴４２ａが左右に貫設されてＵ字形状に形成された結合片４２が、上下に並べて２個ずつ後方へ突設されている。また、係合穴４２ａの内周の前端には、当接突起４３が後方へ突設されている。ボディ２及びカバー３の左右の側面には、それぞれ結合突起２２，３３が上下に並べて２個ずつ突設されていて、カバー３の結合突起３３の前面には凹部３３ａが設けられている。そして、各結合突起２２，３３が組立枠４の係合穴４２ａに挿入され、組立枠４の当接突起４３がカバー３の結合突起３３の凹部３３ａに挿入されるとともにボディ２の結合突起２２の後面が組立枠４の結合片４２に係止されることによって、カバー３の前面が露出穴４１から露出する形でボディ２とカバー３とは結合している。
【００２３】
また、先に述べたように組立枠４は取付枠を兼ねており、組立枠４の上下両端部には、埋込ボックス（図示せず）へのねじ止めのためのねじが挿通されるボックス穴４ａと、周知の挟み金具（図示せず）を取り付けるための挟み穴４ｂと、前面にプレート枠（図示せず）を取り付けるためのプレート穴４ｃと、壁面に直接ねじ止めする際にねじが挿通される直付け穴４ｄとがそれぞれ前後に貫設されている。
【００２４】
さらに、ハウジング１には、取付枠４の一部の前側を覆って見栄えを向上するための化粧カバー５が取り付けられる。化粧カバー５は、カバー３の前面と略同じ寸法形状に形成されカバー３の前面を露出させる露出穴５１を有する。露出穴５１の上下には、それぞれ２個の結合片５２が左右に並べて後方へ突設されている。各結合片５２のそれぞれ後端には、上下のうち露出穴５１に臨む側に突出した係合爪５３が設けられている。カバー３の上下の面にはそれぞれ２個の係合凹部３４を左右に並べて設けてあり、係合爪５３がそれぞれ係合凹部３４に係合することにより、化粧カバー５はカバー３に対して結合する。また、化粧カバー５の左右両端部には、それぞれ上下に並んだ各４個の当接突起５４を後方へ突設してある。取付枠４の露出穴４１の左右にはそれぞれ前方へ突出して左右に対向し前端が外側へ曲がって断面が逆Ｌ字形状に形成された台座突起４４が設けられ、露出穴４１の上下にはそれぞれ支持突起４５が前方へ突設されていて、化粧カバー５の当接突起５４が取付枠４の台座突起４４の前面に当接するとともに、取付枠４の支持突起４５が化粧カバー５の後面に当接することにより、取付枠４に対する化粧カバー５の姿勢が安定するようになっている。また、図３に示すように、化粧カバー５を取り付けた状態でカバー３の前面と化粧カバー５の前面とが略面一になるように、結合突起２２，３３の位置や当接突起５４の突出寸法等は設定されている。
【００２５】
カバー３の前面に設けられた低電圧用栓刃挿入口３１は、電圧側極の栓刃が挿入される電圧側栓刃挿入口３１ａと、中性極（接地側極）の栓刃が挿入される中性栓刃挿入口３１ｂと、接地極の栓刃が挿入される接地栓刃挿入口３１ｃとからなる。また、高電圧用栓刃挿入口３２は、電圧側極の栓刃がそれぞれ挿入される第１の電圧側栓刃挿入口３２ａ及び第２の電圧側栓刃挿入口３２ｂと、接地極の栓刃が挿入される接地栓刃挿入口３２ｃとからなる。低電圧用栓刃挿入口３１及び高電圧用栓刃挿入口３２はそれぞれＪＩＳ  Ｃ  ８３０３に規定された定格１２５Ｖ，１５Ａ／２０Ａ兼用の接地極付きプラグ及び定格２５０Ｖ，２０Ａの接地極付のプラグに対応した形状となっている。
【００２６】
また、本実施形態は単相３線式の屋内配線を利用するものであって、図４に示すように、ハウジング１の後面の右端部（図４での左端部）であって上下方向の中央部には、単相３線の電圧側の一方の電線Ｃ１が挿入される第１の電圧側電線挿入口２４ａが設けられている。さらに、ハウジング１の後面の左端部（図４での右端部）であって上下方向の中央部には、単相３線の電圧側の他方の電線Ｃ２が挿入される第２の電圧側電線挿入口２４ｂと、単相３線の中性側の電線（中性線）Ｃ３が挿入される中性線挿入口２４ｃとが、中性線挿入口２４ｃを上側として上下に並べて設けられている。また、ハウジング１の後面の下端部には、接地される電線（接地線、図示せず）が挿入される２個の接地線挿入口２４ｄが左右に並べて設けられている。この構成により、第１及び第２の電圧側電線挿入口２４ａ，２４ｂと、中性線挿入口２４ｃと、接地線挿入口２４ｄとをハウジング１の１箇所に集中して配置する場合に比べ、接地線挿入口２４ｄに電線を挿入しやすくなっている。また、ハウジング１の後面には、上記挿入口２４ａ〜２４ｄから挿入される電線の被覆を剥く際に露出させる心線の長さの目安となる溝２５（いわゆるストリップゲージ）を設けてある。すなわち、この溝２５の長さに合わせて電線の被覆を剥けば適切な長さの心線を露出させることができるのである。
【００２７】
次に、ハウジング１内部の構成について説明する。ボディ２の収納凹部２１は、図５に示すように、底面から突設された隔壁２３により左右方向に３分割され、右から第１収納室２１ａ，第２収納室２１ｂ，第３収納室２１ｃとなっている。
【００２８】
右の第１収納室２１ａには、低電圧用栓刃挿入口３１の電圧側栓刃挿入口３１ａから挿入された栓刃に接触導通する第１の刃受け部６１ａと、高電圧用栓刃挿入口３２の第１の電圧側栓刃挿入口３２ａから挿入された栓刃に接触導通する第２の刃受け部６１ｂとを有する第１の電圧側導電ブロック６が収納されている。
【００２９】
中央の第２収納室２１ｂには、低電圧用栓刃挿入口３１の接地栓刃挿入口３１ｃから挿入された栓刃に接触導通する第１の刃受け部７１ａと、高電圧用栓刃挿入口３２の接地栓刃挿入口３２ｃから挿入された栓刃に接触導通する第２の刃受け部７１ｂとを有する接地導電ブロック７が収納されている。
【００３０】
左の第３収納室２１ｃには、低電圧用栓刃挿入口３１の中性栓刃挿入口３１ｂから挿入された栓刃に接触導通する刃受け部８１を有する中性導電ブロック８と、高電圧用栓刃挿入口３２の第２の電圧側栓刃挿入口３２ｂから挿入された栓刃に接触導通する刃受け部９１を有する第２の電圧側導電ブロック９とが収納されている。
【００３１】
上記各導電ブロック６〜９は、それぞれ例えば金属板に曲げ加工を施すことによって形成されている。各刃受け部６１ａ，６１ｂ，７１ａ，７１ｂ，８１，９１は、それぞれ逆Ω形状に形成されてばね性を有し、栓刃を上下又は左右から挟持する。ここで、中性導電ブロック８の刃受け部８１は、電圧側極の栓刃と中性極の栓刃との配置が横向きＴ字形状である１２５Ｖ２０Ａのプラグの中性極に対応し、幅方向が左右方向である栓刃を上下から挟持するようになっているが、中性導電ブロック８は、幅方向が上下方向である栓刃を右側から刃受け部８１に押し付けるばね片８１ａを備え、電圧側極の栓刃と中性極の栓刃とが平行である１２５Ｖ１５Ａのプラグにも対応できるようになっている。
【００３２】
また、第１及び第２の電圧側導電ブロック６，９、接地導電ブロック７、及び中性導電ブロック８には、それぞれ第１及び第２の電圧側電線挿入口２４ａ，２４ｂ、接地線挿入口２４ｄ、及び中性線挿入口２４ｂから挿入された電線に接触導通する端子板６２，９２，７２，８２と、端子板６２，９２，７２，８２に対向する支持板６３，９３，７３，８３とがそれぞれ設けられている。ここで、接地導電ブロック７には、２個の接地線挿入口２４ｄに対応して、前後に対向する端子板７２と支持板７３とが第２の刃受け部７１ｂの左右両側にそれぞれ設けられている。したがって、２個の接地線挿入口２４ｄから挿入された各電線は接地導電ブロック７を介して互いに電気的に接続されるから、２個の接地線挿入口２４ｄの一方を送り配線に用いることができる。
【００３３】
端子板６２，９２，７２，８２と支持板６３，９３，７３，８３との間には、それぞれ電線を端子板６２，９２，７２，８２との間に鎖錠する鎖錠ばね１０が配置されている。鎖錠ばね１０は、金属板が曲げ形成されてなり、支持板６３，９３，７３，８３に当接する基部１０ａと、基部１０ａの前端から端子板６２，９２，７２，８２側へ弾性的に突出し基部１０ａとともにＳ字形状をなす形状に形成され電線を端子板６２，９２，７２，８２に押し付ける押さえ部１０ｂと、基部１０ａの後端から端子板６２，９２，７２，８２側へ弾性的に突出して先端に近い部位ほど前方に位置するように傾斜し電線を端子板６２，９２，７２，８２との間に鎖錠する鎖錠部１０ｃとを有する。すなわち、ハウジング１の後方から挿入された電線は、鎖錠ばね１０の押さえ部１０ｂ及び鎖錠部１０ｃと端子板６２，９２，７２，８２との間に挟持され、鎖錠ばね１０の鎖錠部１０ｃの先端が食い込むことによって抜け止めされる。
【００３４】
また、各鎖錠ばね１０の後側には、それぞれ解除釦１１〜１３が配置されている。ハウジング１の後面において各解除釦１１〜１３の後側にはそれぞれ解除釦１１〜１３を露出させる操作穴２６ａ〜２６ｃが貫設されている。そして、操作穴２６ａ〜２６ｃから例えばドライバのような治具を挿入して解除釦１１〜１３を押し込むと、鎖錠ばね１０の鎖錠部１０ｃが解除釦１１〜１３に押圧されて電線から離れ、鎖錠が解除されるようになっている。すなわち、端子板６２，７２，８２，９２と鎖錠ばね１０と解除釦１１〜１３とで端子部が構成されている。ここで、それぞれ接地導電ブロック７の端子板７２と支持板７３との間に配置され接地線挿入口２６ｄに臨む各鎖錠ばね１０は、共通の解除釦１２の左端部と右端部とに押圧されて同時に変形するようになっている。また、中性導電ブロック８と第２の電圧側導電ブロック９とは、端子板７２，８２同士並びに支持板７３，８３同士を互いに近接させて配置してあり、これらの端子板７２，８２と支持板７３，８３との間に配置された各鎖錠ばね１０は向きが揃っている。そして、中性導電ブロック８の端子板８２と支持板８３との間に配置され中性線挿入口２４ｃに臨む鎖錠ばね１０と、第２の電圧側導電ブロック９の端子板９２と支持板９３との間に配置され第２の電圧側電線挿入口２４ｂに臨む鎖錠ばね１０とは、共通の解除釦１３の上端部と下端部とに押圧されて同時に変形するようになっている。
【００３５】
上記構成によれば、第２の電圧側電線挿入口２４ｂに臨む端子部と中性線挿入口２４ｃに臨む端子部とで解除釦１３を共用としたことにより、図６に示すように中性線挿入口２４ｃに臨む端子部に対して第２の電圧側電線挿入口２４ｂに臨む端子部とは別途に解除釦１４を設ける場合に比べ、ハウジング１内で解除釦１１〜１４が占めるスペースが縮小されているから、接地線の送り配線用の端子部を設けながらも、ハウジング１を３個モジュール寸法とする設計が容易となっている。また、第２の電圧側電線挿入口２４ｂに臨む端子部と中性線挿入口２４ｃに臨む端子部との各鎖錠ばね１０の鎖錠を、１個の解除釦１３によって同時に解除することができるから、解除作業が容易となっている。
【００３６】
ところで、２００Ｖ用などの高電圧用のプラグでは、栓刃の突出方向に対して直交する方向にコードが引き出されていることが多い。したがって、仮に高電圧用栓刃挿入口３２を低電圧用栓刃挿入口３１よりも上側に設けた場合、上記のようなプラグを高電圧用栓刃挿入口３２に接続する際、コードが下方に引き出される向きで接続すると、低電圧用栓刃挿入口３１にプラグを接続する際に前記コードが邪魔になり、コードが上方や左右に引き出される向きで接続すると、コードの自重によってコードに機械的な負荷がかかってしまう。一方、本実施形態では、高電圧用栓刃挿入口３２を低電圧用栓刃挿入口３１よりも下側に設けたことにより、上記のようなプラグを、コードが下方に引き出される向きでコンセントに接続しても、低電圧用栓刃挿入口にプラグを接続する際に前記コードが邪魔にならない。
【００３７】
（実施形態２）
図４に示す単相３線用の各電線Ｃ１〜Ｃ３が結束されたケーブルＣは、一般に天井裏を引き回されるものであるから、施工面に設けられた埋込穴にハウジング１を埋め込む際にはケーブルＣは矢印Ａで示すように上方へ起こされることになる。実施形態１では、中性線挿入口２４ｃと第２の電圧側電線挿入口２４ｂとが上下に並んでいたため、下側に位置する第２の電圧側電線挿入口２４ｂに挿入された電圧側の電線Ｃ２は上側に位置する中性線挿入口２４ｃに挿入された中性側の電線Ｃ３にのしかかる形になる。したがって、前記電圧側の電線Ｃ２には、中性側の電線Ｃ３よりも強い引っ張り応力がかかり、この引っ張り応力のために電圧側の電線Ｃ２の劣化が促進されることが考えられる。
【００３８】
本実施形態は、上記事由に鑑みて実施形態１を改良したものであり、上下に並べて設けられた中性線挿入口２４ｃと第２の電圧側電線挿入口２４ｂとのうちで下側に位置する第２の電圧側電線挿入口２４ｂを、図７（ａ）に示すように中性線挿入口２４ｃよりも左右方向においてハウジング１の中央寄りに設けたものである。また、ハウジング１の内部においては、図７（ｂ）に示すように中性導電ブロック８と第２の電圧側導電ブロック９との各端子板８２，９２及び各支持板８３，９３の位置を、第２の電圧側電線挿入口２４ｂの位置と中性線挿入口２４ｃの位置とに合わせて左右にずらしてある。なお、上記以外の構成については実施形態１と共通であるので図示並びに説明を省略する。
【００３９】
上記構成によれば、ケーブルＣを上方に引き出す際にも電線Ｃ２，Ｃ３同士が重ならなくなるから、実施形態１に比べ、第２の電圧側電線挿入口２４ｂから挿入された電線Ｃ２にかかる引っ張り応力が軽減され、電線Ｃ２の劣化が抑制される。また、第２の電圧側電線挿入口２４ｂの位置を中性線挿入口２４ｃよりもハウジング１の左右方向の中央寄りとしたことにより、第１の電圧側電線挿入口２４ａと第２の電圧側電線挿入口２４ｂと中性線挿入口２４ｃとを結ぶ円弧の中心は該円弧よりも上側に位置する。したがって、ケーブルＣから分岐する各電線Ｃ１〜Ｃ３の長さを互いに略等しくした場合でも、いずれの電線Ｃ１〜Ｃ３にも曲げや引っ張りによる応力を集中させることなく、各電線Ｃ１〜Ｃ３を上側へ引き出すことができる。
【図面の簡単な説明】
【００４０】
【図１】本発明の実施形態１を示す分解斜視図である。
【図２】同上を示す図であり、（ａ）は正面図、（ｂ）は右側面図、（ｃ）は背面図、（ｄ）は下面図である。
【図３】同上を示す斜視図である。
【図４】同上に電線を接続した状態を示す斜視図である。
【図５】同上のボディの内部を示す正面図である。
【図６】同上の参考例を示す背面図である。
【図７】本発明の実施形態２を示す図であり、（ａ）は背面図、（ｂ）はボディの内部を示す正面図である。
【図８】従来例を示す図であり、（ａ）は２００Ｖ用のコンセントを示す正面図、（ｂ）は１００Ｖ用のコンセントを示す正面図である。
【符号の説明】
【００４１】
１  ハウジング
６  第１の電圧側導電ブロック
７  接地導電ブロック
８  中性導電ブロック
９  第２の電圧側導電ブロック
１０  鎖錠ばね
１１〜１３  解除釦
２４ａ  第１の電圧側電線挿入口
２４ｂ  第２の電圧側電線挿入口
２４ｃ  中性線挿入口
２４ｄ  接地線挿入口
３１  低電圧用栓刃挿入口
３１ａ  電圧側栓刃挿入口
３１ｂ  中性栓刃挿入口
３１ｃ  接地栓刃挿入口
３２  高電圧用栓刃挿入口
３２ａ  第１の電圧側栓刃挿入口
３２ｂ  第２の電圧側栓刃挿入口
３２ｃ  接地栓刃挿入口
６１ａ  刃受け部
６２  端子板
Ｃ１〜Ｃ３  電線
【図１】
2005339979.tif 000003
【図２】
2005339979.tif 000004
【図３】
2005339979.tif 000005
【図４】
2005339979.tif 000006
【図５】
2005339979.tif 000007
【図６】
2005339979.tif 000008
【図７】
2005339979.tif 000009
【図８】
2005339979.tif 000010